(57)【要約】【課題】本発明は、無線接続されるクライアント端末局の数が増加した場合に、これらを全て収容することが可能であり、且つ、無線接続されるクライアント端末局の数が減少した場合に、消費電力を削減することが可能である無線ＬＡＮ基地局を提供する。【解決手段】各々が少なくとも１つのクライアント端末局と無線通信をすることが可能な少なくとも２つの無線ＬＡＮモジュールと、当該無線ＬＡＮ基地局と無線通信中のクライアント端末局の数を検出する手段と、検出されたクライアント端末局の数に応じて、稼働する無線ＬＡＮモジュールの数を変化させる手段とを備える。【選択図】        図１
2004186750.tif 000002
【特許請求の範囲】
【請求項１】
少なくとも１つのクライアント端末局と無線通信を行う無線ＬＡＮ基地局において、
各々が少なくとも１つのクライアント端末局と無線通信をすることが可能な少なくとも２つの無線ＬＡＮモジュールと、
当該無線ＬＡＮ基地局と無線通信中のクライアント端末局の数を検出する手段と、
検出されたクライアント端末局の数に応じて、稼働する無線ＬＡＮモジュールの数を変化させる手段と、
を備えることを特徴とする無線ＬＡＮ基地局。
【請求項２】
請求項１に記載の無線ＬＡＮ基地局において、
少なくとも１つのクライアント端末局と無線通信をすることが可能な第１の無線ＬＡＮモジュールと、
少なくとも１つのクライアント端末局と無線通信をすることが可能な第２の無線ＬＡＮモジュールと、
当該無線ＬＡＮ基地局と無線通信中のクライアント端末局の数が所定数以下であるか否かを判断する判断手段と、
前記判断の結果が肯定的であれば、当該無線ＬＡＮ基地局と無線通信中のクライアント端末局の全てに対し前記第１の無線ＬＡＮモジュールと無線通信をさせ、前記第１の無線ＬＡＮモジュールを稼働させ、前記第２の無線ＬＡＮモジュールを休止させる第１の制御手段と、
前記判断の結果が否定的であれば、当該無線ＬＡＮ基地局と無線通信中のクライアント端末局のうちの一部に対し前記第１の無線ＬＡＮモジュールと無線通信をさせ、当該無線ＬＡＮ基地局と無線通信中のクライアント端末局のうちの残りに対し前記第２の無線ＬＡＮモジュールと無線通信をさせ、前記第１の無線ＬＡＮモジュール及び前記第２の無線ＬＡＮモジュールを稼働させる第２の制御手段と、
を備えることを特徴とする無線ＬＡＮ基地局。
【請求項３】
請求項２に記載の無線ＬＡＮ基地局において、
前記第１の無線ＬＡＮモジュールは、相互に異なった無線通信方式の複数の無線通信部を備え、
前記第２の無線ＬＡＮモジュールは、相互に異なった無線通信方式の複数の無線通信部を備え、
前記判断手段、前記第１の制御手段及び前記第２の制御手段は、無線通信方式毎に動作することを特徴とする無線ＬＡＮ基地局。
【請求項４】
請求項３に記載の無線ＬＡＮ基地局において、
パケットサイズ毎に異なった無線通信方式が割り当てられていることを特徴とする無線ＬＡＮ基地局。
【請求項５】
請求項３に記載の無線ＬＡＮ基地局において、
パケット種類毎に異なった無線通信方式が割り当てられていることを特徴とする無線ＬＡＮ基地局。
【請求項６】
少なくとも１つのクライアント端末局と無線通信を行う無線ＬＡＮ基地局であって、各々が少なくとも１つのクライアント端末局と無線通信をすることが可能な少なくとも２つの無線ＬＡＮモジュールを備える無線ＬＡＮ基地局における通信制御方法において、
当該無線ＬＡＮ基地局と無線通信中のクライアント端末局の数を検出するステップと、
検出されたクライアント端末局の数に応じて、稼働する無線ＬＡＮモジュールの数を変化させるステップと、
を有することを特徴とする通信制御方法。
【請求項７】
請求項６に記載の通信制御方法において、
当該無線ＬＡＮ基地局は、少なくとも１つのクライアント端末局と無線通信をすることが可能な第１の無線ＬＡＮモジュールと、少なくとも１つのクライアント端末局と無線通信をすることが可能な第２の無線ＬＡＮモジュールとを備え、
当該通信制御方法は、
当該無線ＬＡＮ基地局と無線通信中のクライアント端末局の数が所定数以下であるか否かを判断する判断ステップと、
前記判断の結果が肯定的であれば、当該無線ＬＡＮ基地局と無線通信中のクライアント端末局の全てに対し前記第１の無線ＬＡＮモジュールと無線通信をさせ、前記第１の無線ＬＡＮモジュールを稼働させ、前記第２の無線ＬＡＮモジュールを休止させる第１の制御ステップと、
前記判断の結果が否定的であれば、当該無線ＬＡＮ基地局と無線通信中のクライアント端末局のうちの一部に対し前記第１の無線ＬＡＮモジュールと無線通信をさせ、当該無線ＬＡＮ基地局と無線通信中のクライアント端末局のうちの残りに対し前記第２の無線ＬＡＮモジュールと無線通信をさせ、前記第１の無線ＬＡＮモジュール及び前記第２の無線ＬＡＮモジュールを稼働させる第２の制御ステップと、
を有することを特徴とする通信制御方法。
【請求項８】
請求項７に記載の通信制御方法において、
前記第１の無線ＬＡＮモジュールは、相互に異なった無線通信方式の複数の無線通信部を備え、
前記第２の無線ＬＡＮモジュールは、相互に異なった無線通信方式の複数の無線通信部を備え、
前記判断ステップ、前記第１の制御ステップ及び前記第２の制御ステップは、無線通信方式毎に行われることを特徴とする通信制御方法。
【請求項９】
請求項８に記載の通信制御方法において、
パケットサイズ毎に異なった無線通信方式が割り当てられていることを特徴とする通信制御方法。
【請求項１０】
請求項８に記載の通信制御方法において、
パケット種類毎に異なった無線通信方式が割り当てられていることを特徴とする通信制御方法。
【発明の詳細な説明】
【０００１】
【発明の属する技術分野】
本発明は、クライアント端末局と無線通信を行う無線ＬＡＮ（Ｌｏｃａｌ  Ａｒｅａ  Ｎｅｔｗｏｒｋ）基地局に関する。
【０００２】
【従来の技術】
従前は、ＬＡＮといえば例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３の規格に基づいた有線のものであったが、近年ＩＥＥＥ８０２．１１の規格に基づいた無線ＬＡＮが普及してきている。
【０００３】
なお、本発明に関連する先行技術文献としては、以下のものがある。
【０００４】
【特許文献１】
特開平０６−１７８３５２号公報
【特許文献２】
特開平０６−２４５２６０号公報
【特許文献３】
特開平０８−２５６１６２号公報
【特許文献４】
特開２００２−２４６９６９公報
【０００５】
【発明が解決しようとする課題】
会社構内又は家庭内において無線ＬＡＮを構築する場合には、無線ＬＡＮ基地局に無線接続されるクライアント端末局の数はさほど変動しない。しかし、例えば、インターネットカフェ等に無線ＬＡＮを構築すると、無線ＬＡＮ基地局に無線接続されるクライアント端末局の数は客の増減に従って変動する。
【０００６】
そこで、無線ＬＡＮ基地局に無線接続されるクライアント端末局の最大見積数に応じて無線ＬＡＮ基地局の無線ＬＡＮモジュールの数を決定すれば、クライアント端末局の数が増えた場合に対応することができるが、このようにするとクライアント端末局の数が減った場合に電力等を浪費することとなる。
【０００７】
そこで、本発明は、無線接続されるクライアント端末局の数が増加した場合に、これらを全て収容することが可能であり、且つ、無線接続されるクライアント端末局の数が減少した場合に、消費電力を削減することが可能である無線ＬＡＮ基地局及び無線ＬＡＮ基地局における通信制御方法を提供することを目的とする。
【０００８】
【課題を解決するための手段】
本発明によれば、少なくとも１つのクライアント端末局と無線通信を行う無線ＬＡＮ基地局において、各々が少なくとも１つのクライアント端末局と無線通信をすることが可能な少なくとも２つの無線ＬＡＮモジュールと、当該無線ＬＡＮ基地局と無線通信中のクライアント端末局の数を検出する手段と、検出されたクライアント端末局の数に応じて、稼働する無線ＬＡＮモジュールの数を変化させる手段と、を備えることを特徴とする無線ＬＡＮ基地局が提供される。
【０００９】
上記の無線ＬＡＮ基地局は、少なくとも１つのクライアント端末局と無線通信をすることが可能な第１の無線ＬＡＮモジュールと、少なくとも１つのクライアント端末局と無線通信をすることが可能な第２の無線ＬＡＮモジュールと、当該無線ＬＡＮ基地局と無線通信中のクライアント端末局の数が所定数以下であるか否かを判断する判断手段と、前記判断の結果が肯定的であれば、当該無線ＬＡＮ基地局と無線通信中のクライアント端末局の全てに対し前記第１の無線ＬＡＮモジュールと無線通信をさせ、前記第１の無線ＬＡＮモジュールを稼働させ、前記第２の無線ＬＡＮモジュールを休止させる第１の制御手段と、前記判断の結果が否定的であれば、当該無線ＬＡＮ基地局と無線通信中のクライアント端末局のうちの一部に対し前記第１の無線ＬＡＮモジュールと無線通信をさせ、当該無線ＬＡＮ基地局と無線通信中のクライアント端末局のうちの残りに対し前記第２の無線ＬＡＮモジュールと無線通信をさせ、前記第１の無線ＬＡＮモジュール及び前記第２の無線ＬＡＮモジュールを稼働させる第２の制御手段と、を備えていてもよい。
【００１０】
上記の無線ＬＡＮ基地局において、前記第１の無線ＬＡＮモジュールは、相互に異なった無線通信方式の複数の無線通信部を備え、前記第２の無線ＬＡＮモジュールは、相互に異なった無線通信方式の複数の無線通信部を備え、前記判断手段、前記第１の制御手段及び前記第２の制御手段は、無線通信方式毎に動作してもよい。
【００１１】
上記の無線ＬＡＮ基地局において、パケットサイズ毎に異なった無線通信方式が割り当てられていてもよい。
【００１２】
上記の無線ＬＡＮ基地局において、パケット種類毎に異なった無線通信方式が割り当てられていてもよい。
【００１３】
【発明の実施の形態】
以下、図面を参照して本発明の実施形態について詳細に説明する。
【００１４】
［実施形態１］
図１に第１の実施形態の構成を示す。
【００１５】
図１を参照すると、本発明の一実施形態としての３つ以上のアンテナ持った無線ＬＡＮ基地局のアンテナ制御方式が示されている。
【００１６】
図１において、無線ＬＡＮ基地局１０１は、有線ＬＡＮインターフェース１０３、第１のＩＥＥＥ８０２．１１ａ＋ＩＥＥＥ８０２．１１ｇ無線ＬＡＮモジュール１０５、第２のＩＥＥＥ８０２．１１ａ＋ＩＥＥＥ８０２．１１ｇ無線ＬＡＮモジュール１０７、制御部１０９、記憶部１１１、タイマ１１３を有している。
【００１７】
有線ＬＡＮインターフェース１０３は、無線ＬＡＮ基地局１０１と上位ＬＡＮとのインターフェースである。
【００１８】
第１のＩＥＥＥ８０２．１１ａ＋ＩＥＥＥ８０２．１１ｇ無線ＬＡＮモジュール１０５、第２のＩＥＥＥ８０２．１１ａ＋ＩＥＥＥ８０２．１１ｇ無線ＬＡＮモジュール１０７は、それぞれ、ＩＥＥＥ８０２．１１ａとＩＥＥＥ８０２．１１ｇでの通信を同時に行うことが可能なダブルＭＡＣ無線ＬＡＮモジュールであり、これらを合わせると、本実施形態ではＩＥＥＥ８０２．１１ａの２チャネルとＩＥＥＥ８０２．１１ｇの２チャネルの合わせて４つの無線チャネルを同時に使用することができる。
【００１９】
制御部１０９は、無線ＬＡＮ基地局１０１全体を制御する。
【００２０】
記憶部１１１は、有線ＬＡＮインターフェース１０３、第１のＩＥＥＥ８０２．１１ａ＋ＩＥＥＥ８０２．１１ｇ無線ＬＡＮモジュール１０５、第２のＩＥＥＥ８０２．１１ａ＋ＩＥＥＥ８０２．１１ｇ無線ＬＡＮモジュール１０７が送受信するパケットを一時的に格納する部分である。
【００２１】
タイマ１１３は、定期的に制御部１１１に割り込みをかける部分である。
【００２２】
無線ＬＡＮ基地局１０１は電源投入時やリセット時に、第１のＩＥＥＥ８０２．１１ａ＋ＩＥＥＥ８０２．１１ｇ無線ＬＡＮモジュール１０５のみ起動させ、第２のＩＥＥＥ８０２．１１ａ＋ＩＥＥＥ８０２．１１ｇ無線ＬＡＮモジュール１０７は休止状態のままにする。
【００２３】
タイマ１１３から定期的に制御部１１１にタイマ割り込みがかけられると、制御部１１１は現在のクライアント端末局数を見に行き、クライアント端末局数が設定値を超えた場合には、第２のＩＥＥＥ８０２．１１ａ＋ＩＥＥＥ８０２．１１ｇ無線ＬＡＮモジュール１０７を起動し、第１のＩＥＥＥ８０２．１１ａ＋ＩＥＥＥ８０２．１１ｇ無線ＬＡＮモジュール１０５のいくつかのクライアント端末局を第２のＩＥＥＥ８０２．１１ａ＋ＩＥＥＥ８０２．１１ｇ無線ＬＡＮモジュール１０７へ移行させる命令を発行する。
【００２４】
命令を受け取ったクライアント端末局は、命令に従い第２のＩＥＥＥ８０２．１１ａ＋ＩＥＥＥ８０２．１１ｇ無線ＬＡＮモジュール１０７に移行する。
【００２５】
制御部１０９はその後も、第１のＩＥＥＥ８０２．１１ａ＋ＩＥＥＥ８０２．１１ｇ無線ＬＡＮモジュール１０５と第２のＩＥＥＥ８０２．１１ａ＋ＩＥＥＥ８０２．１１ｇ無線ＬＡＮモジュール１０７のクライアント端末局数を監視し、その合計が設定値を下回ると、第２のＩＥＥＥ８０２．１１ａ＋ＩＥＥＥ８０２．１１ｇ無線ＬＡＮモジュール１０７のクライアントを第１のＩＥＥＥ８０２．１１ａ＋ＩＥＥＥ８０２．１１ｇ無線ＬＡＮモジュール１０５に復帰させる命令を発行する。
【００２６】
命令を受け取ったクライアント端末局は、命令に従い第１のＩＥＥＥ８０２．１１ａ＋ＩＥＥＥ８０２．１１ｇ無線ＬＡＮモジュール１０５に復帰する。
【００２７】
制御部１０９は、第２のＩＥＥＥ８０２．１１ａ＋ＩＥＥＥ８０２．１１ｇ無線ＬＡＮモジュール１０７の全てのクライアント端末局が第１のＩＥＥＥ８０２．１１ａ＋ＩＥＥＥ８０２．１１ｇ無線ＬＡＮモジュール１０５に復帰したのを確認後、第２のＩＥＥＥ８０２．１１ａ＋ＩＥＥＥ８０２．１１ｇ無線ＬＡＮモジュール１０７を休止状態にする。
【００２８】
次に、図１の３つ以上のアンテナを持った無線ＬＡＮ基地局のアンテナ制御方式を説明する。
【００２９】
図１において、無線ＬＡＮ基地局１０１が起動すると、制御部１０９は第１のＩＥＥＥ８０２．１１ａ＋ＩＥＥＥ８０２．１１ｇ無線ＬＡＮモジュール１０５を起動し、第２のＩＥＥＥ８０２．１１ａ＋ＩＥＥＥ８０２．１１ｇ無線ＬＡＮモジュール１０７を休止状態のままにする。
【００３０】
タイマ１１３は定期的に制御部１０９に割り込みをかけるタイマであり、このタイマ割り込みが制御部１０９にかけられるたびに、制御部１０９は図２に示す方法を行う。
【００３１】
この方法に従い、制御部１０９は第２のＩＥＥＥ８０２．１１ａ＋ＩＥＥＥ８０２．１１ｇ無線ＬＡＮモジュール１０７の共通部１０７−１、ＩＥＥＥ８０２．１１ａ固有部１０７−２、ＩＥＥＥ８０２．１１ｇ固有部１０７−３（図３参照）の起動／休止を行う。
【００３２】
ただし、共通部１０７−１とは、ＩＥＥＥ８０２．１１ａ、ＩＥＥＥ８０２．１１ｇに固有でない部分である。
【００３３】
ＩＥＥＥ８０２．１１ａ固有部１０７−２とは、ＲＦ部やＭＡＣ部等ＩＥＥＥ８０２．１１ａのみに関係する部分である。
【００３４】
ＩＥＥＥ８０２．１１ｇ固有部１０７−３とは、ＲＦ部やＭＡＣ部等ＩＥＥＥ８０２．１１ｇのみに関係する部分である。
【００３５】
次に、図２に示す方法を説明する。
【００３６】
まず、ＩＥＥＥ８０２．１１ａクライアント端末局数が第１の設定値より多いこと及びＩＥＥＥ８０２．１１ｇクライアント端末局数が第２の設定値より多いことの少なくとも一方が満たされているか否かを判断する（ステップＳ２０１）。ステップＳ２０１の判断結果が肯定的であれば、ステップＳ２０３に進み、そうでなければ、ステップＳ２２９に進む。なお、第１の設定値と第２の設定値は等しくてもよい。
【００３７】
ステップＳ２０３では、第２のＩＥＥＥ８０２．１１ａ＋ＩＥＥＥ８０２．１１ｇ無線ＬＡＮモジュール１０７の共通部１０７−１を起動する。次に、ＩＥＥＥ８０２．１１ａクライアント端末局数が第１の設定値よりも多いか否かを判断する（ステップＳ２０５）。ステップＳ２０５の判断結果が肯定的であれば、ステップＳ２０７に進み、そうでなければ、ステップＳ２１１に進む。
【００３８】
ステップＳ２０７では、第２のＩＥＥＥ８０２．１１ａ＋ＩＥＥＥ８０２．１１ｇ無線ＬＡＮモジュール１０７のＩＥＥＥ８０２．１１ａ固有部１０７−２を起動する。次に、ＩＥＥＥ８０２．１１ａクライアント端末局の一部に対し、第１のＩＥＥＥ８０２．１１ａ＋ＩＥＥＥ８０２．１１ｇ無線ＬＡＮモジュール１０５から第２のＩＥＥＥ８０２．１１ａ＋ＩＥＥＥ８０２．１１ｇ無線ＬＡＮモジュール１０７への移行命令を発行し（ステップＳ２０９）、ステップＳ２１７に進む。
【００３９】
ステップＳ２１１では、第２のＩＥＥＥ８０２．１１ａ＋８０２．１１ｇ無線ＬＡＮモジュール１０７に接続されているＩＥＥＥ８０２．１１ａクライアント端末局に対し、第２のＩＥＥＥ８０２．１１ａ＋ＩＥＥＥ８０２．１１ｇ無線ＬＡＮモジュール１０７から第１のＩＥＥＥ８０２．１１ａ＋ＩＥＥＥ８０２．１１ａ無線ＬＡＮモジュール１０５への復帰命令を発行し（ステップＳ２１１）、第２のＩＥＥＥ８０２．１１ａ＋ＩＥＥＥ８０２．１１ｇ無線ＬＡＮモジュール１０７のＩＥＥＥ８０２．１１ａクライアント端末局の数がゼロになったか否かを判断する（ステップＳ２１３）。ステップＳ２１３の判断結果が肯定的であれば、第２のＩＥＥＥ８０２．１１ａ＋ＩＥＥＥ８０２．１１ｇ無線ＬＡＮモジュールのＩＥＥＥ８０２．１１ａ固有部１０７−２を休止し（ステップＳ２１５）、ステップＳ２１７に進む。ステップＳ２１３の判断結果が否定的であれば、直接ステップＳ２１７に進む。
【００４０】
ステップＳ２１７では、ＩＥＥＥ８０２．１１ｇクライアント端末局数が第２の設定値よりも多いか否かを判断する。ステップＳ２１７の判断結果が肯定的であれば、ステップＳ２１９に進み、そうでなければ、ステップＳ２２３に進む。
【００４１】
ステップＳ２１９では、第２のＩＥＥＥ８０２．１１ａ＋ＩＥＥＥ８０２．１１ｇ無線ＬＡＮモジュール１０７のＩＥＥＥ８０２．１１ｇ固有部１０７−３を起動する。次に、ＩＥＥＥ８０２．１１ｇクライアント端末局の一部に対し、第１のＩＥＥＥ８０２．１１ａ＋ＩＥＥＥ８０２．１１ｇ無線ＬＡＮモジュール１０５から第２のＩＥＥＥ８０２．１１ａ＋ＩＥＥＥ８０２．１１ｇ無線ＬＡＮモジュール１０７への移行命令を発行し（ステップＳ２２１）、処理を終了する。
【００４２】
ステップＳ２２３では、第２のＩＥＥＥ８０２．１１ａ＋８０２．１１ｇ無線ＬＡＮモジュール１０７に接続されているＩＥＥＥ８０２．１１ｇクライアント端末局に対し、第２のＩＥＥＥ８０２．１１ａ＋ＩＥＥＥ８０２．１１ｇ無線ＬＡＮモジュール１０７から第１のＩＥＥＥ８０２．１１ａ＋ＩＥＥＥ８０２．１１ａ無線ＬＡＮモジュール１０５への復帰命令を発行し（ステップＳ２２３）、第２のＩＥＥＥ８０２．１１ａ＋ＩＥＥＥ８０２．１１ｇ無線ＬＡＮモジュール１０７のＩＥＥＥ８０２．１１ｇクライアント端末局の数がゼロになったか否かを判断する（ステップＳ２２５）。ステップＳ２２５の判断結果が肯定的であれば、第２のＩＥＥＥ８０２．１１ａ＋ＩＥＥＥ８０２．１１ｇ無線ＬＡＮモジュールのＩＥＥＥ８０２．１１ｇ固有部１０７−３を休止し（ステップＳ２２７）、処理を終了する。ステップＳ２２５の判断結果が否定的であれば、そのまま処理を終了する。
【００４３】
ステップＳ２２９では、第２のＩＥＥＥ８０２．１１ａ＋ＩＥＥＥ８０２．１１ｇ無線ＬＡＮモジュール１０７に接続されているＩＥＥＥ８０２．１１ａクライアント端末局及びＩＥＥＥ８０２．１１ｇクライアント端末局に対し、第２のＩＥＥＥ８０２．１１ａ＋ＩＥＥＥ８０２．１１ｇ無線ＬＡＮモジュール１０７から第１のＩＥＥＥ８０２．１１ａ＋ＩＥＥＥ８０２．１１ｇ無線ＬＡＮモジュール１０５への復帰命令を発行する（ステップＳ２２９）。次に、第２のＩＥＥＥ８０２．１１ａ＋ＩＥＥＥ８０２．１１ｇ無線ＬＡＮモジュール１０７に接続されているＩＥＥＥ８０２．１１ａクライアント端末局及びＩＥＥＥ８０２．１１ｇクライアント端末局の数がゼロになったか否かを判断する（ステップＳ２３１）。ステップＳ２３１の判断結果が肯定的であれば、第２のＩＥＥＥ８０２．１１ａ＋ＩＥＥＥ８０２．１１ｇ無線ＬＡＮモジュール１０７の共通部１０７−１、ＩＥＥＥ８０２．１１ａ固有部１０７−２及びＩＥＥＥ８０２．１１ｇ固有部１０７−３を休止し（ステップＳ２３３）、処理を終了する。
【００４４】
このようにして、本発明では、無線ＬＡＮ基地局１０１と通信をしているクライアント端末局数をもとに、チャネルの起動および停止を行うため、通信需要が多いときは４つのアンテナをフル稼動させ、通信需要が少ないときはアンテナ数を減らすことにより、高スループットと低消費電力の両方を実現可能である。
【００４５】
［実施形態２］
本発明の第２の実施形態の構成を図４に示す。
【００４６】
実施形態２では、有線ＬＡＮインターフェース１０３を使用せず、４つのアンテナの１つを上位基地局１５１との通信に使用する。
【００４７】
上位基地局１５１との通信はアドホックモードもしくはインフラストラクチャモードにて行う。インフラストラクチャモードの場合は該当するアンテナのみ端末局としての動作になり、その他３つのアンテナは基地局動作となる。
【００４８】
これにより、実施形態１よりもクライアント端末局に割り当てられるアンテナは１つ減ることになるが、有線ＬＡＮを配線するという物理的制約から開放される。
【００４９】
［実施形態３］
実施形態２を導入するに当たり、ＭＡＣ（Ｍｅｄｉａ  Ａｃｃｅｓｓ  Ｃｏｎｔｒｏｌ）アドレスのカプセリングおよびパケットの乗せ換えが必要になるが、実施形態３はそのためのシステムである。
【００５０】
図５は、本発明の実施形態３による無線ＬＡＮシステムの構成を示す概念図である。
【００５１】
図５を参照すると、実施形態３による無線ＬＡＮシステムは、上位基地局１５１、無線ＬＡＮ基地局１０１及びクライアント端末局１６１を備える。上位基地局１５１は、無線ＬＡＮエリア１７１にある複数の無線ＬＡＮ端末と通信することができる。従って、上位基地局１５１は、無線ＬＡＮ基地局１０１と通信をすることができる。無線ＬＡＮ基地局１０１は、無線ＬＡＮ基地局の機能も有し、無線ＬＡＮエリア１７２にある複数の無線ＬＡＮ端末と通信することができる。従って、無線ＬＡＮ基地局１０１はクライアント端末局１６１と通信をすることができる。なお、無線ＬＡＮエリア１７１の無線チャンネルと無線ＬＡＮエリア１７２の無線チャンネルは異なり、無線チャンネル間の衝突が避けられている。
【００５２】
次に図６〜８を参照して、上位基地局１５１、無線ＬＡＮ基地局１０１及びクライアント端末局１６１それぞれの構成を説明する。図６〜８には本発明に関連した部分のみを示すが、上位基地局１５１は、図示しない従来の無線ＬＡＮ基地局の機能も有し、無線ＬＡＮ基地局１０１及びクライアント端末局１６１は、図示しない従来の無線ＬＡＮ端末の機能も有する。
【００５３】
図６は、上位基地局１５１の構成を示すブロック図である。図６を参照すると、上位基地局１５１は、受信部１８１、抽出部１８２、カプセル化部１８３、送信部１８４及びＭＡＣ（Ｍｅｄｉａ  Ａｃｃｅｓｓ  Ｃｏｎｔｒｏｌ）アドレステーブル１８５を備える。受信部１８１は、無線ＬＡＮ基地局１０１から無線ＬＡＮ信号を受信する。抽出部１８２は、無線ＬＡＮ基地局１０１から受信した無線ＬＡＮ信号内でカプセル化されているクライアント端末局１６１からの無線ＬＡＮ信号を抽出する。カプセル化部１８３は、クライアント端末局１６１に送信するべき無線ＬＡＮ信号を無線ＬＡＮ基地局１０１に送信する無線ＬＡＮ信号内にカプセル化する。送信部１８４は、クライアント端末局１６１へ送信するべき無線ＬＡＮ信号がカプセル化されている無線ＬＡＮ信号を無線ＬＡＮ基地局１０１に送信する。ＭＡＣアドレステーブル１８５は、下表のような構成を有する。
【００５４】
【表１】
2004186750.tif 000003
上位基地局１５１に直接接続されている無線ＬＡＮ端末については、その無線ＬＡＮ端末のＭＡＣアドレスとヌル値（例えば”０”）の組が格納される。上位基地局１５１に間接的に接続されている無線ＬＡＮ端末については、その無線ＬＡＮ端末のＭＡＣアドレスとその接続に介在する無線ＬＡＮ基地局のＭＡＣアドレスの組が格納される。従って、上位基地局１５１と直接接続されている無線ＬＡＮ基地局１０１については、無線ＬＡＮ基地局１０１のＭＡＣアドレスとヌル値の組が格納される。また、無線ＬＡＮ基地局１０１を介して上位基地局１５１と接続されているクライアント端末局１６１については、クライアント端末局１６１のＭＡＣアドレスと無線ＬＡＮ基地局１０１のＭＡＣアドレスの組が格納される。
【００５５】
抽出部１８２は、受信部１８１が受信した無線ＬＡＮ信号のＯＳＩ（Ｏｐｅｎ  Ｓｙｓｔｅｍｓ  Ｉｎｔｅｒｃｏｎｎｅｃｔｉｏｎ）第２層のペイロードの先頭に特殊ヘッダ（ＩＰ（Ｉｎｔｅｒｎｅｔ  Ｐｒｏｔｏｃｏｌ）パケットのヘッダ、ＩＣＭＰ（Ｉｎｔｅｒｎｅｔ  Ｃｏｎｔｒｏｌ  Ｍｅｓｓａｇｅ  Ｐｒｏｔｏｃｏｌ）パケットのヘッダ、ＡＲＰ（Ａｄｄｒｅｓｓ  Ｒｅｓｏｌｕｔｉｏｎ  Ｐｒｏｔｏｃｏｌ）パケットのヘッダ等の従来の標準のヘッダ以外のヘッダ。）が挿入されているか否かを判断することにより、その無線ＬＡＮ信号内にカプセル化されているクライアント端末局１６１からの無線ＬＡＮ信号が存在するか否かを知ることができる。抽出部１８２は、特殊ヘッダか否か判断結果が肯定的であるときに、その無線ＬＡＮ信号内にカプセル化されているクライアント端末局１６１からの無線ＬＡＮ信号が存在すると判断して、カプセル化されている無線ＬＡＮ信号を抽出する。抽出部１８２は、特殊ヘッダか否かの判断結果が否定的であるときに、その無線ＬＡＮ信号をそのまま出力する。
【００５６】
また、カプセル化部１８３は、送信部１８４から送信するべき無線ＬＡＮ信号のヘッダ内の宛先ＭＡＣアドレスを第１列のＭＡＣアドレスとして有するレコードをＭＡＣアドレステーブル１８５から検索し、そのレコードの第２列の値がヌル値であるか否かを判断することにより、送信部１８４から送信するべき無線ＬＡＮ信号をカプセル化するべきであるかどうかを知ることができる。カプセル化部１８３は、ヌル値か否かの判断結果が否定的であるときに、送信部１８４から送信するべき無線ＬＡＮ信号をカプセル化するべきであると判断し、その無線ＬＡＮ信号をカプセル化する。カプセル化部１８３は、ヌル値か否かの判断結果が肯定的であるときに、送信部１８４から送信するべき無線ＬＡＮ信号をそのまま出力する。
【００５７】
なお、クライアント端末局１６１は、無線ＬＡＮ基地局１０１の無線ＬＡＮ基地局機能部に対して帰属要求を送信する際に自端末のＭＡＣアドレスを送信する。すると、無線ＬＡＮ基地局１０１は、クライアント端末局１６１のＭＡＣアドレスをＭＡＣアドレステーブル１９３に格納し、クライアント端末局１６１のＭＡＣアドレス及び無線ＬＡＮ基地局１０１のＭＡＣアドレスの組を上位基地局１５１に転送する。すると、上位基地局１５１は、クライアント端末局１６１のＭＡＣアドレスを第１列とし無線ＬＡＮ基地局１０１のＭＡＣアドレスを第２列としてレコードをＭＡＣアドレステーブル１８５に格納する。
【００５８】
図７は、無線ＬＡＮ基地局１０１の構成を示すブロック図である。図７を参照すると、無線ＬＡＮ基地局１０１は、第１の受信部１８６、カプセル化部１８８、第１の送信部１８９、第２の受信部１９０、抽出部１９１、第２の送信部１９２及びＭＡＣアドレステーブル１９３を備える。ＭＡＣアドレステーブル１９３は、下表のような構成を有し、無線ＬＡＮ基地局１０１の無線ＬＡＮ基地局機能部と無線接続されている全ての無線ＬＡＮ端末のＭＡＣアドレスを格納する。
【００５９】
【表２】
2004186750.tif 000004
なお、カプセル化部１８８及び抽出部１９１は、ブリッジ１８７に含まれる。第１の受信部１８６は、クライアント端末局１６１から無線ＬＡＮ信号を受信する。カプセル化部１８８は、クライアント端末局１６１から受信した無線ＬＡＮ信号をカプセル化して新たな無線ＬＡＮ信号を生成する。第１の送信部１８９は、カプセル化部１８８が生成した無線ＬＡＮ信号を上位基地局１５１に送信する。第２の受信部１９０は、上位基地局１５１から無線ＬＡＮ信号を受信する。抽出部１９１は、第２の受信部１９０が受信した無線ＬＡＮ信号のＯＳＩ第２層のペイロードの先頭部に特殊ヘッダが挿入されているか否かを判断することにより、その無線ＬＡＮ信号内にカプセル化されているクライアント端末局１６１宛の無線ＬＡＮ信号が存在するか否かを知ることができる。抽出部１８２は、特殊ヘッダか否か判断結果が肯定的であるときに、その無線ＬＡＮ信号内にカプセル化されているクライアント端末局１６１宛の無線ＬＡＮ信号が存在すると判断して、カプセル化されている無線ＬＡＮ信号を抽出する。
【００６０】
第２の送信部１９２は、抽出部１９１が抽出したクライアント端末局１６１宛の無線ＬＡＮ信号をクライアント端末局１６１に送信する。ＭＡＣアドレステーブル１９３は、クライアント端末局１６１等の無線ＬＡＮ基地局１０１を介して上位基地局１５１に接続されている無線ＬＡＮ端末のＭＡＣアドレスを保持している。
【００６１】
なお、クライアント端末局１６１は、無線ＬＡＮ基地局１０１の無線ＬＡＮ基地局機能部（第１の受信部１８６及び第２の送信部１９２を含む部分）に対して帰属要求を送信する際に自端末のＭＡＣアドレスを送信する。
【００６２】
図８は、クライアント端末局１６１の構成を示すブロック図である。クライアント端末局１６１は、送信部１９５及び受信部１９６を備える。送信部１９５は、無線ＬＡＮ信号を無線ＬＡＮ基地局１０１に送信する。受信部１９６は、無線ＬＡＮ信号を無線ＬＡＮ基地局１０１から受信する。送信部１９５及び受信部１９６は、上位層（図示せず）に接続されている。
【００６３】
次に、図９、１０を参照して、上位基地局１５１のカプセル化部１８３が行うカプセル化について説明する。図９に示すように、一般に、無線ＬＡＮ信号３０１のヘッダには、宛先ＭＡＣアドレス及び送信元ＭＡＣアドレスが記述されている。カプセル化部１８３は、宛先ＭＡＣアドレスがクライアント端末局１６１である無線ＬＡＮ信号３０２を入力したならば、それに宛先ＭＡＣアドレスとして無線ＬＡＮ基地局１０１のＭＡＣアドレス、送信元ＭＡＣアドレスとして上位基地局１５１のＭＡＣアドレスを付加して、更に、特殊ヘッダ３２１を付加して、無線ＬＡＮ信号３０２をカプセル化した無線ＬＡＮ信号３０３を生成する。カプセル化部１８３は、クライアント端末局１６１宛の複数の無線ＬＡＮ信号３０４、３０５に宛先ＭＡＣアドレスとして無線ＬＡＮ基地局１０１のＭＡＣアドレス、送信元ＭＡＣアドレスとして上位基地局１５１のＭＡＣアドレスを付加して、更に、特殊ヘッダ３２１を付加して、無線ＬＡＮ信号３０４、３０５をカプセル化した無線ＬＡＮ信号３０６を生成してもよい。また、カプセル化部１８３は、無線ＬＡＮ基地局１０１宛の無線ＬＡＮ信号３０７及びクライアント端末局１６１宛の無線ＬＡＮ信号３０８の組に対して、宛先ＭＡＣアドレスとして無線ＬＡＮ基地局１０１のＭＡＣアドレス、送信元ＭＡＣアドレスとして上位基地局１５１のＭＡＣアドレスを付加して、更に、特殊ヘッダ３２１を付加して、無線ＬＡＮ信号３０７、３０８をカプセル化した無線ＬＡＮ信号３０９を生成してもよい。
【００６４】
次に図１１、１２を参照して、無線ＬＡＮ基地局１０１の抽出部１９１が行う無線ＬＡＮ信号の抽出について説明する。抽出部１９１は、クライアント端末局１６１宛の無線ＬＡＮ信号３０２がカプセル化されている無線ＬＡＮ信号３０３を入力したならば、無線ＬＡＮ信号３０３から無線ＬＡＮ信号３０２を抽出する。また、抽出部１９１は、クライアント端末局１６１宛の複数の無線ＬＡＮ信号３０４、３０５がカプセル化されている無線ＬＡＮ信号３０６を入力したならば、無線ＬＡＮ信号３０６から複数の無線ＬＡＮ信号３０４、３０５を抽出する。更に、抽出部１９１は、複数の無線ＬＡＮ信号（無線ＬＡＮ基地局１０１宛の無線ＬＡＮ信号３０７及びクライアント端末局１６１宛の無線ＬＡＮ信号３０８）がカプセル化されている無線ＬＡＮ信号３０９を入力したならば、無線ＬＡＮ信号３０９から複数の無線ＬＡＮ信号３０７、３０８を抽出する。
【００６５】
次に、図１３、１４を参照して、無線ＬＡＮ基地局１０１のカプセル化部１８８が行うカプセル化について説明する。カプセル化部１８８は、送信元がクライアント端末局１６１である無線ＬＡＮ信号３１２を入力したならば、それに宛先ＭＡＣアドレスとして上位基地局１５１のＭＡＣアドレス、送信元ＭＡＣアドレスとして無線ＬＡＮ基地局１０１のＭＡＣアドレスを付加して、更に、特殊ヘッダ３２１を付加して、無線ＬＡＮ信号３１２をカプセル化した無線ＬＡＮ信号３１３を生成する。カプセル化部１８８は、送信元がクライアント端末局１６１である複数の無線ＬＡＮ信号３１４、３１５に宛先ＭＡＣアドレスとして上位基地局１５１のＭＡＣアドレス、送信元ＭＡＣアドレスとして無線ＬＡＮ基地局１０１のＭＡＣアドレスを付加して、更に、特殊ヘッダ３２１を付加して、無線ＬＡＮ信号３１４、３１５をカプセル化した無線ＬＡＮ信号３１６を生成してもよい。また、カプセル化部１８８は、無線ＬＡＮ基地局１０１を送信元とする無線ＬＡＮ信号３１７及びクライアント端末局１６１を送信元とする無線ＬＡＮ信号３１８の組に対して、宛先ＭＡＣアドレスとして上位基地局１５１のＭＡＣアドレス、送信元ＭＡＣアドレスとして無線ＬＡＮ基地局１０１のＭＡＣアドレスを付加して、更に、特殊ヘッダ３２１を付加して、無線ＬＡＮ信号３１７、３１８をカプセル化した無線ＬＡＮ信号３０９を生成してもよい。
【００６６】
次に図１５、１６を参照して、上位基地局１５１の抽出部１８２が行う無線ＬＡＮ信号の抽出について説明する。抽出部１８２は、クライアント端末局１６１を送信元とする無線ＬＡＮ信号３１２がカプセル化されている無線ＬＡＮ信号３１３を入力したならば、無線ＬＡＮ信号３１３から無線ＬＡＮ信号３１２を抽出する。また、抽出部１８２は、クライアント端末局１６１を送信元とする複数の無線ＬＡＮ信号３１４、３１５がカプセル化されている無線ＬＡＮ信号３１６を入力したならば、無線ＬＡＮ信号３１６から複数の無線ＬＡＮ信号３１４、３１５を抽出する。更に、抽出部１８２は、複数の無線ＬＡＮ信号（無線ＬＡＮ基地局１０１を送信元とする無線ＬＡＮ信号３１７及びクライアント端末局１６１を送信元とする無線ＬＡＮ信号３１８）がカプセル化されている無線ＬＡＮ信号３１９を入力したならば、無線ＬＡＮ信号３１９から複数の無線ＬＡＮ信号３１７、３１８を抽出する。
【００６７】
［実施形態４］
本発明の第４の実施形態の構成を図１７に示す。
【００６８】
実施形態４では、無線ＬＡＮ基地局１０１と通信を行うクライアント端末局１６１もＩＥＥＥ８０２．１１ａ＋ＩＥＥＥ８０２．１１ｇ無線ＬＡＮモジュール１６３を実装しており、ＩＥＥＥ８０２．１１ａとＩＥＥＥ８０２．１１ｇの両方を使い基地局−端末局間通信を行う。
【００６９】
無線ＬＡＮ基地局１０１とクライアント端末局１６１間でパケットサイズによりどちらの規格で通信を行うかあらかじめ設定しておく。例えば、パケットサイズが設定値以下であればＩＥＥＥ８０２．１１ａにより通信を行い、パケットサイズが設定値を超えればＩＥＥＥ８０２．１１ｇにより通信を行うように設定をしておく。
【００７０】
無線ＬＡＮ基地局１０１もクライアント端末局１６１も送信するパケットのパケットサイズにより使用するアンテナを使い分ける。
【００７１】
これによりショートパケットとロングパケットの棲み分けができ、システムとしての通信効率を上げることができる。
【００７２】
［実施形態５］
本発明の第５の実施形態の構成を図１８に示す。
【００７３】
実施形態５は実施形態４と基本的には同じであるが、パケットサイズではなくパケット種別により通信路を切り換える点が実施形態４と違っている。
【００７４】
無線ＬＡＮ基地局１０１とクライアント端末局１６１の双方で、ＲＴＰ（Ｒｅａｌ−Ｔｉｍｅ  Ｔｒａｎｓｐｏｒｔ  Ｐｒｏｔｏｃｏｌ）パケットをＩＥＥＥ８０２．１１ａで、それ以外のパケットをＩＥＥＥ８０２．１１ｇで通信するように設定すれば、ＲＴＰで伝送される音声や動画等のリアルタイムデータを損なうことなく送受信することが可能になる。
【００７５】
なお、上記の実施形態では、ＩＥＥＥ８０２．１１ａ＋ＩＥＥＥ８０２．１１ｇ無線ＬＡＮモジュールを用いるとしているが、コンボでないタイプのモジュール（例えばＩＥＥＥ８０２．１１ａモジュールが２つ）でも同様に可能である。
【００７６】
また、上記の実施形態では分かりやすくするためＩＥＥＥ８０２．１１ａ、ＩＥＥＥ８０２．１１ｇを用いるとしたが、規格の種類は本発明には関係ない。
【００７７】
【発明の効果】
以上説明したように、本発明によれば、以下に記載するような効果が奏される。
【００７８】
第１の効果は、クライアント端末局数により、チャネルの起動および休止を行うため、通信需要が多いときは４つのアンテナをフル稼動させ、通信需要が少ないときはアンテナ数を減らすことで消費電力を落とすことにより、高スループットと低消費電力の両方を実現可能なことである。
【００７９】
第２の効果は、物理的に一方のモジュールが故障したとしても、もう一方のモジュールで通信を続けることができることである。
【００８０】
第３の効果は、基地局の電源を落とさずに、片方のモジュールを交換することも可能なことである。
【図面の簡単な説明】
【図１】本発明の実施形態１による無線ＬＡＮ基地局の構成を示すブロック図である。
【図２】本発明の実施形態１による無線ＬＡＮ基地局の制御部１０９が行うアンテナ数制御方法を示すフローチャートである。
【図３】本発明の実施形態１による無線ＬＡＮ基地局の第２のＩＥＥＥ８０２．１１ａ＋ＩＥＥＥ８０２．１１ｇ無線ＬＡＮモジュールの構成を示すブロック図である。
【図４】本発明の実施形態２による無線ＬＡＮ基地局と上位基地局の接続様式を示す概念図である。
【図５】本発明の実施形態３による無線ＬＡＮシステムの構成を示す概念図である。
【図６】本発明の実施形態３による上位基地局１５１の構成を示すブロック図である。
【図７】本発明の実施形態３による無線ＬＡＮ基地局１０１の構成を示すブロック図である。
【図８】本発明の実施形態３によるクライアント端末局１６１の構成を示すブロック図である。
【図９】本発明の実施形態３によるカプセル化部１８３が行うカプセル化について説明するための第１のフォーマット図である。
【図１０】本発明の実施形態３によるカプセル化部１８３が行うカプセル化について説明するための第２のフォーマット図である。
【図１１】本発明の実施形態３による抽出部１９１が行う無線ＬＡＮ信号の抽出について説明するための第１のフォーマット図である。
【図１２】本発明の実施形態３による抽出部１９１が行う無線ＬＡＮ信号の抽出について説明するための第２のフォーマット図である。
【図１３】本発明の実施形態３によるカプセル化部１８８が行うカプセル化について説明するための第１のフォーマット図である。
【図１４】本発明の実施形態３によるカプセル化部１８８が行うカプセル化について説明するための第２のフォーマット図である。
【図１５】本発明の実施形態３による抽出部１８２が行う無線ＬＡＮ信号の抽出について説明するための第１のフォーマット図である。
【図１６】本発明の実施形態３による抽出部１８２が行う無線ＬＡＮ信号の抽出について説明するための第２のフォーマット図である。
【図１７】本発明の実施形態４による無線ＬＡＮ基地局とクライアント端末局の接続様式を示す概念図である。
【図１８】本発明の実施形態５による無線ＬＡＮ基地局とクライアント端末局の接続様式を示す概念図である。
【符号の説明】
１０１  無線ＬＡＮ基地局
１０３  優先ＬＡＮインターフェース
１０５  第１のＩＥＥＥ８０２．１１ａ＋ＩＥＥＥ８０２．１１ｇ無線ＬＡＮモジュール
１０７  第２のＩＥＥＥ８０２．１１ａ＋ＩＥＥＥ８０２．１１ｇ無線ＬＡＮモジュール
１０７−１  共通部
１０７−２  ＩＥＥＥ８０２．１１ａ固有部
１０７−３  ＩＥＥＥ８０２．１１ｇ固有部
１０９  制御部
１１１  記憶部
１１３  タイマ
１５１  上位基地局
１６１  クライアント端末局
【図１】
2004186750.tif 000005
【図２】
2004186750.tif 000006
【図３】
2004186750.tif 000007
【図４】
2004186750.tif 000008
【図５】
2004186750.tif 000009
【図６】
2004186750.tif 000010
【図７】
2004186750.tif 000011
【図８】
2004186750.tif 000012
【図９】
2004186750.tif 000013
【図１０】
2004186750.tif 000014
【図１１】
2004186750.tif 000015
【図１２】
2004186750.tif 000016
【図１３】
2004186750.tif 000017
【図１４】
2004186750.tif 000018
【図１５】
2004186750.tif 000019
【図１６】
2004186750.tif 000020
【図１７】
2004186750.tif 000021
【図１８】
2004186750.tif 000022